(57)【特許請求の範囲】
【請求項１】
較正の目標とする出力装置である目標出力装置に与える色値と出力される色値を対応づけた目標絶対色値情報をもとに前記目標出力装置で与える色値を紙白から変化させて色再現が視認される値である再現開始値に対応して出力される色値を取得する取得手段と、予め設定されている再現開始設定値に対応する色値が前記取得手段により得られた再現開始値に対応する色値となるように前記目標絶対色値情報を変換する変換手段と、前記変換手段で変換された目標絶対色値情報に対して紙白の補正を行い目標紙白色値情報を得る目標紙白補正手段と、較正対象の出力装置である較正出力装置に与える色値と出力される色値を対応づけた装置絶対色値情報をもとに前記較正出力装置で与える色値を紙白から変化させて色再現が視認される値を装置再現開始値として取得するとともに前記目標紙白補正手段で得た目標紙白色値情報から前記再現開始設定値での補正値を取得する再現開始値情報取得手段と、前記装置再現開始値での補正後の値が前記再現開始設定値での補正値となるように前記装置絶対色値情報に対して紙白の補正を行い装置紙白色値情報を得る装置紙白補正手段と、前記目標紙白補正手段で前記目標絶対色値情報から得られた前記目標紙白色値情報と前記装置紙白補正手段で前記装置絶対色値情報から得られた前記装置紙白色値情報から前記較正出力装置に与える色値を較正するための係数を算出する係数算出手段を有することを特徴とする色較正係数算出装置。
【請求項２】
較正の目標とする出力装置である目標出力装置に与える色信号と出力される色値を対応づけた目標絶対色値情報に対して紙白の補正を行い目標紙白色値情報を得る目標紙白補正手段と、前記目標絶対色値情報をもとに前記目標出力装置で与える色値を紙白から変化させて色再現が視認される値である再現開始値を求めるとともに該再現開始値に対応して出力される色値を前記目標紙白色値情報から取得する取得手段と、予め定められた前記目標出力装置の再現開始設定値に対応する色値が前記取得手段で得られた前記再現開始値に対応する色値となるように前記目標紙白色値情報を変換する変換手段と、較正対象の出力装置である較正出力装置に与える色値と出力される色値を対応づけた装置絶対色値情報に対して紙白の補正を行い装置紙白色値情報を得る装置紙白補正手段と、前記目標紙白補正手段で得た前記目標紙白色値情報と前記装置紙白補正手段で得た前記装置紙白色値情報から前記較正出力装置に与える色値を較正するための係数を算出する係数算出手段を有することを特徴とする色較正係数算出装置。
【請求項３】
前記装置絶対色値情報をもとに前記較正出力装置で与える色値を紙白から変化させて色再現が視認される値を装置再現開始値として取得するとともに前記目標紙白補正手段で得た目標紙白色値情報から前記再現開始設定値での補正値を取得する再現開始値情報取得手段を有し、前記装置紙白補正手段は、前記装置再現開始値での補正後の値が前記再現開始設定値での補正値となるように前記装置絶対色値情報に対して紙白の補正を行って前記装置紙白色値情報を得るものであることを特徴とする請求項２に記載の色較正係数算出装置。
【請求項４】
出力装置に与えた色信号と出力された色とを対にした色値情報の集合を基本情報として該基本情報をもとに作成された色変換モデルを用いて色変換を行う色変換手段と、前記出力装置を較正対象として請求項１から請求項３のいずれか１項に記載の色較正係数算出装置により算出された較正のための係数を用いて前記色変換手段による色変換結果を補正する補正手段を有することを特徴とする色変換装置。
【請求項５】
前記色変換モデルは、ハイライト部分の色値情報を前記基本情報に追加して作成されたものであることを特徴とする請求項４に記載の色変換装置。
【請求項６】
前記色変換モデルは、ハイライト部分については他の領域よりも色値情報に追従させたものであることを特徴とする請求項４または請求項５に記載の色変換装置。
【請求項７】
コンピュータに、請求項１から請求項３のいずれか１項に記載の色較正係数算出装置の機能を実行させるものであることを特徴とする色較正係数算出プログラム。
【請求項８】
コンピュータに、請求項４から請求項６のいずれか１項に記載の色変換装置の機能を実行させるものであることを特徴とする色変換プログラム。
【発明の詳細な説明】
【技術分野】
【０００１】
本発明は、色較正係数算出装置、色変換装置、色較正係数算出プログラム、色変換プログラムに関するものである。
【背景技術】
【０００２】
色の較正技術は、出力装置において色の出力を安定して行わせる技術であり、例えば経時変動や環境変動などでずれてしまった色の出力を、目標とする色の出力状態へ較正する技術である。較正を行う場合には、予め目標とする出力装置における色の出力状態を得ておく。そして、較正対象の出力装置から色を出力させ、出力された色が目標とする出力装置の出力となるように較正する。
【０００３】
較正の際に、ハイライト部分では色再現の視認性が要求される。例えば白点から色値を変化させてゆき、白以外の色が視認される色値を再現開始値と呼ぶ。この再現開始値は、目標とする出力装置が違えば異なる値となる。例えば、ある目標とする出力装置を想定すれば、その出力装置に応じた値となるし、較正対象の出力装置の過去の状態を目標とする出力装置とすれば、その過去の時点での状態に応じた値となる。
【０００４】
しかし、設計の際に予め決められた値で色再現がなされていることが規定されていたり、利用者が再現開始値の指定を要望する場合などでは、規定されている値あるいは指定された再現開始値では、目標とする出力装置では色再現が開始されない場合がある。一例として、上述した較正対象の出力装置の過去の状態を目標とする出力装置とした場合、その目標とする出力装置とした過去の状態で、すでに指定された再現開始値では色再現が始まらない状態となっている場合がある。このような状態で較正を行っても、指定された再現開始値で色再現が開始されるような較正は行われない。
【０００５】
なお、再現開始値に関する補正処理については、例えば特許文献１では、白点から再現開始値まで色信号をシフトさせている。この補正処理では、較正対象の出力装置における再現開始値で色再現が開始されることになる。
【０００６】
また、較正の際の処理として、白点補正の処理がある。これは、目標とする出力装置における白点と、較正対象の出力装置の白点が異なっている場合に、両者の白点を白基準点（例えばＤ５０光源の色）に補正してから較正を行うものである。例えば、相対変換技術や中高濃度絶対技術（ハイライト相対化技術）などがある。相対変換技術では、白点を白基準点に補正し、色が濃く、また暗くなるほど補正量を少なくして、色域全体に対して補正を行う方法である。また、中高濃度絶対技術は予め決められた範囲で補正を行う方法であり、白点については白基準点とし、予め決められた色範囲で色が濃く、また暗くなるほど補正量を少なくし、予め決められた色範囲外では白点補正を行わない方法である。この方法は、例えば特許文献２などに記載されている。
【先行技術文献】
【特許文献】
【０００７】
【特許文献１】特開２０００−０５９６２８号公報
【特許文献２】特開２００９−２７８２６４号公報
【発明の概要】
【発明が解決しようとする課題】
【０００８】
本発明は、与えられた再現開始値での色再現に対応した較正が施された出力を行うことができる色変換装置及び色変換プログラムと、その較正のための係数を算出することができる色較正係数算出装置及び色較正係数算出プログラムを提供することを目的とするものである。
【課題を解決するための手段】
【０００９】
本願請求項１に記載の発明は、較正の目標とする出力装置である目標出力装置に与える色値と出力される色値を対応づけた目標絶対色値情報をもとに前記目標出力装置で与える色値を紙白から変化させて色再現が視認される値である再現開始値に対応して出力される色値を取得する取得手段と、予め設定されている再現開始設定値に対応する色値が前記取得手段により得られた再現開始値に対応する色値となるように前記目標絶対色値情報を変換する変換手段と、前記変換手段で変換された目標絶対色値情報に対して紙白の補正を行い目標紙白色値情報を得る目標紙白補正手段と、較正対象の出力装置である較正出力装置に与える色値と出力される色値を対応づけた装置絶対色値情報をもとに前記較正出力装置で与える色値を紙白から変化させて色再現が視認される値を装置再現開始値として取得するとともに前記目標紙白補正手段で得た目標紙白色値情報から前記再現開始設定値での補正値を取得する再現開始値情報取得手段と、前記装置再現開始値での補正後の値が前記再現開始設定値での補正値となるように前記装置絶対色値情報に対して紙白の補正を行い装置紙白色値情報を得る装置紙白補正手段と、前記目標紙白補正手段で前記目標絶対色値情報から得られた前記目標紙白色値情報と前記装置紙白補正手段で前記装置絶対色値情報から得られた前記装置紙白色値情報から前記較正出力装置に与える色値を較正するための係数を算出する係数算出手段を有することを特徴とする色較正係数算出装置である。
【００１０】
本願請求項２に記載の発明は、較正の目標とする出力装置である目標出力装置に与える色信号と出力される色値を対応づけた目標絶対色値情報に対して紙白の補正を行い目標紙白色値情報を得る目標紙白補正手段と、前記目標絶対色値情報をもとに前記目標出力装置で与える色値を紙白から変化させて色再現が視認される値である再現開始値を求めるとともに該再現開始値に対応して出力される色値を前記目標紙白色値情報から取得する取得手段と、予め定められた前記目標出力装置の再現開始設定値に対応する色値が前記取得手段で得られた前記再現開始値に対応する色値となるように前記目標紙白色値情報を変換する変換手段と、較正対象の出力装置である較正出力装置に与える色値と出力される色値を対応づけた装置絶対色値情報に対して紙白の補正を行い装置紙白色値情報を得る装置紙白補正手段と、前記目標紙白補正手段で得た前記目標紙白色値情報と前記装置紙白補正手段で得た前記装置紙白色値情報から前記較正出力装置に与える色値を較正するための係数を算出する係数算出手段を有することを特徴とする色較正係数算出装置である。
【００１１】
本願請求項３に記載の発明は、本願請求項２に記載の発明の構成に、さらに、前記装置絶対色値情報をもとに前記較正出力装置で与える色値を紙白から変化させて色再現が視認される値を装置再現開始値として取得するとともに前記目標紙白補正手段で得た目標紙白色値情報から前記再現開始設定値での補正値を取得する再現開始値情報取得手段を有し、前記装置紙白補正手段は、前記装置再現開始値での補正後の値が前記再現開始設定値での補正値となるように前記装置絶対色値情報に対して紙白の補正を行って前記装置紙白色値情報を得るものであることを特徴とする色較正係数算出装置である。
【００１２】
本願請求項４に記載の発明は、出力装置に与えた色信号と出力された色とを対にした色値情報の集合を基本情報として該基本情報をもとに作成された色変換モデルを用いて色変換を行う色変換手段と、前記出力装置を較正対象として請求項１から請求項３のいずれか１項に記載の色較正係数算出装置により算出された較正のための係数を用いて前記色変換手段による色変換結果を補正する補正手段を有することを特徴とする色変換装置である。
【００１３】
本願請求項５に記載の発明は、本願請求項４に記載の発明における前記色変換モデルが、ハイライト部分の色値情報を前記基本情報に追加して作成されたものであることを特徴とする色変換装置である。
【００１４】
本願請求項６に記載の発明は、本願請求項４または請求項５に記載の発明における前記色変換モデルが、ハイライト部分については他の領域よりも色値情報に追従させたものであることを特徴とする色変換装置である。
【００１５】
本願請求項７に記載の発明は、コンピュータに、請求項１から請求項３のいずれか１項に記載の色較正係数算出装置の機能を実行させるものであることを特徴とする色較正係数算出プログラムである。
【００１６】
本願請求項８に記載の発明は、コンピュータに、請求項４から請求項６のいずれか１項に記載の色変換装置の機能を実行させるものであることを特徴とする色変換プログラムである。
【発明の効果】
【００１８】
本願請求項１に記載の発明によれば、与えられた再現開始設定値での色再現に対応し、較正対象の出力装置における再現開始値での調整を考慮して紙白を補正した較正を行うための係数を算出することができるという効果がある。
【００１９】
本願請求項２に記載の発明によれば、与えられた再現開始設定値での色再現に対応し紙白を補正した較正を行うための係数を算出することができるという効果がある。
【００２０】
本願請求項３に記載の発明によれば、較正対象の出力装置における再現開始値での調整を考慮して紙白を補正した較正を行うための係数を算出することができる。
【００２１】
本願請求項４に記載の発明によれば、与えられた再現開始設定値での色再現に対応した較正が施された出力を行うことができる。
【００２２】
本願請求項５に記載の発明によれば、再現開始値を含むハイライト部分での色変換モデルによる予測誤差を、本構成を有しない場合に比べて低減することができる。
【００２３】
本願請求項６に記載の発明によれば、再現開始値を含むハイライト部分での色変換モデルによる予測誤差を、本構成を有しない場合に比べて低減することができる。
【００２４】
本願請求項７に記載の発明によれば、本願請求項１から請求項３のいずれか１項に記載の発明の効果を得ることができる。
【００２５】
本願請求項８に記載の発明によれば、本願請求項４から請求項６のいずれか１項に記載の発明の効果を得ることができる。
【図面の簡単な説明】
【００２７】
【図１】本発明の色較正係数算出装置の第１の実施の形態を示す構成図である。
【図２】本発明の色較正係数算出装置の第１の実施の形態における動作の一例の説明図である。
【図３】本発明の色較正係数算出装置の第１の実施の形態における動作の別の例の説明図である。
【図４】本発明の色較正係数算出装置の第１の実施の形態における第１の変形例を示す構成図である。
【図５】中高濃度絶対技術の一例と得られる較正係数の一例の説明図である。
【図６】中高濃度絶対技術を用いる場合の合成比の一例の説明図である。
【図７】本発明の色較正係数算出装置の第１の実施の形態の第１の変形例において再現開始値を考慮した場合の中高濃度絶対技術による紙白補正の一例の説明図である。
【図８】本発明の色較正係数算出装置の第１の実施の形態における第２の変形例を示す構成図である。
【図９】目標紙白色値情報及び装置絶対色値情報の一例と再現開始値との関係の一例の説明図である。
【図１０】装置再現開始値を考慮した紙白補正処理の一例の説明図である。
【図１１】装置紙白色値情報を求める際の合成比の一例の説明図である。
【図１２】本発明の色較正係数算出装置の第２の実施の形態を示す構成図である。
【図１３】本発明の色較正係数算出装置の第２の実施の形態における動作の一例の説明図である。
【図１４】本発明の色較正係数算出装置の第２の実施の形態における変形例を示す構成図である。
【図１５】本発明の色較正係数算出装置の第２の実施の形態の変形例における動作の一例の説明図である。
【図１６】本発明の色変換装置の実施の一形態を示す構成図である。
【図１７】色変換モデルの一例における基本情報と変換結果の一例の説明図である。
【図１８】本発明の色較正係数算出装置の各実施の形態及び色変換装置の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２８】
図１は、本発明の色較正係数算出装置の第１の実施の形態を示す構成図である。図中、１は目標再現開始値情報取得部、２は目標絶対色値情報変換部、３は色較正係数算出部である。ここでは、較正の目標とする出力装置を目標出力装置とし、目標出力装置に与える色値と、その色値を与えて出力される色値とを対応づけて目標絶対色値情報とする。また、較正対象の出力装置を較正出力装置とし、現状の較正出力装置に与える色値と、その色値に対応して出力される色値とを対応づけて装置絶対色値情報とする。この目標絶対色値情報と装置絶対色値情報とが与えられるものとする。
【００２９】
目標絶対色値情報は、例えば、目標出力装置に色値を与え、出力された色を測色し、与えた色値と測色値とを対にし、複数の対からなる情報を目標絶対色値情報とすればよい。目標出力装置は、別の実在する出力装置でも仮想的な出力装置でもよく、あるいは較正出力装置の過去の状態であってもよい。較正出力装置の過去の状態を目標出力装置とする場合、過去に取得した色値の対を目標絶対色値情報とすればよい。もちろん、与えた色値と対となる測色値は、実際に測色しなくても、予め用意しておけばよく、あるいは測色値を意図的に変更した色値でもよく、与える色値と出力される色値とが対となった目標絶対色値情報が用意してあればよい。また装置絶対色値情報は、例えば、較正対象の出力装置に色信号を与え、出力された色を測色し、与えた色信号と測色値とを対にした複数の対からなる情報でよい。
【００３０】
目標再現開始値情報取得部１は、目標絶対色値情報をもとに、目標出力装置に対して与える色値を紙白から変化させた場合に色再現が視認される値である再現開始値に対応して出力される色値を取得する。
【００３１】
目標絶対色値情報変換部２は、予め設定されている再現開始設定値に対応する色値が、目標再現開始値情報取得部１により得られた再現開始値に対応する色値となるように、目標絶対色値情報を変換する。
【００３２】
色較正係数算出部３は、較正出力装置の装置絶対色値情報と、目標絶対色値情報変換部２で変換した目標絶対色値情報から、較正出力装置に与える色値を較正するための係数を算出する。係数の算出方法は、従来から行われている方法を使用すればよく、一例としては変換した目標絶対色値情報と装置絶対色値情報との突き当てによって行えばよい。あるいは、変形例として後述する紙白補正を行ってから係数を求めてもよい。
【００３３】
図２は、本発明の色較正係数算出装置の第１の実施の形態における動作の一例の説明図である。図２（Ａ）において、目標絶対色値情報を実線で示している。紙白をαとし、この紙白αから色値を変化させ、色値Ｒにおいて出力された色に色差ΔＥが生じ、色が視認されるものとしている。この色値Ｒが再現開始値であり、色値Ｒを目標出力装置に与えた際に出力される色値が色値βである。ここで、予め設定されている再現開始設定値が色値Ｒよりも白に近い色値Ｓであったとする。色値Ｓでは紙白との色差が色差ΔＥよりも小さく、色の違いは視認されないことになる。そのため、本発明の色較正係数算出装置の第１の実施の形態では、色再現開始設定値である色値Ｓで紙白との色差がΔＥとなり、紙白との色の違いが視認されるように、目標絶対色値情報を変換する。
【００３４】
目標再現開始値情報取得部１では、目標絶対色値情報をもとに、再現開始値に対応して出力される色値を取得する。図２（Ａ）に示す例では、再現開始値である色値Ｒを目標出力装置に与えた際に出力される色値βを取得する。
【００３５】
目標絶対色値情報変換部２では、予め設定されている再現開始設定値に対応する色値が、目標再現開始値情報取得部１により得られた再現開始値に対応する色値となるように、目標絶対色値情報を変換する。この例では、再現開始設定値が色値Ｓ、目標再現開始値情報取得部１により得られた再現開始値Ｒに対応する色値は色値βであるから、目標出力装置に色値Ｓを与えた際に出力される色値が色値βとなるように、目標絶対色値情報を変換する。変換方法としては種々の公知の方法を採用すればよい。一例としては、図２（Ｂ）に示す関数による変換を行うとよい。
【００３６】
図２（Ｂ）に示した関数の例では、紙白と予め決められた色値Ｔを固定し、変換前の色値が紙白から色値Ｒまでを紙白から色値Ｓに変換し、色値Ｒから色値Ｔまでを色値Ｓから色値Ｔに変換するものである。このような変換により、図２（Ａ）において実線で示した目標絶対色値情報は、太線で示した変化を示すようになる。このような変換により、色値Ｓを目標出力装置に与えた場合の出力される色値が色値βとなる目標絶対色値情報に変換されることになる。
【００３７】
目標絶対色値情報の具体例として、目標出力装置に与える色値をＣＭＹＫ色空間の色値、出力される色値をＣＩＥＬＡＢ色空間の色値とすると、再現開始値となる色値Ｒ（ＣＭＹＫ）と色値β（Ｌａｂ）が対となっており、この色値Ｒ（ＣＭＹＫ）を色値Ｓ（ＣＭＹＫ）に変更することにより色変換が実現される。他の目標絶対色値情報の色値の対についても、図２（Ｂ）に示した関数に従って与える色値（ＣＭＹＫ）を変更してゆけばよい。それぞれの色空間は一例であって、他の色空間でもよいことは言うまでもない。
【００３８】
得られた変換後の目標絶対色値情報では、予め設定されている再現開始設定値で出力される色値βと紙白の色値αとの色差として色差ΔＥを確保しており、紙白との色の違いが視認される情報が得られていることになる。この変換後の目標絶対色値情報と、較正出力装置の装置絶対色値情報とから、色較正係数算出部３は較正するための係数を算出すればよい。
【００３９】
図３は、本発明の色較正係数算出装置の第１の実施の形態における動作の別の例の説明図である。図２に示した例では目標絶対色値情報のうち、与える色値を変更する例を示しているが、これに限らず、出力される色値、あるいは与える色値と出力される色値の両方を変更してもかまわない。図３に示す例では、目標絶対色値情報の出力される色値を変更する場合の一例を示している。
【００４０】
図３（Ａ）において、目標絶対色値情報を実線で示している。紙白をαとし、図２で説明した再現開始値を色値Ｒ、色値Ｒで出力される色値をβ、色値αと色値βの色差を色差ΔＥとして示している。目標再現開始値情報取得部１では、目標絶対色値情報をもとに、再現開始値である色値Ｒを目標出力装置に与えた際に出力される色値βを取得する。
【００４１】
予め設定されている再現開始設定値である色値Ｓが色値Ｒよりも白に近い色値であったとする。この場合、目標絶対色値情報変換部２では、まず、色値Ｓにおいて出力される色値が色値βとなるように、目標絶対色値情報を相対変換する。相対変換後の目標絶対色値情報の変化を細線で示している。
【００４２】
そして、目標絶対色値情報と相対変換後の目標絶対色値情報とを、紙白及び予め決められた色値Ｔ以降では目標絶対色値となり、色値Ｓでは相対変換後の目標絶対色値情報となるように、両者を合成する変換を行えばよい。合成方法としては、例えば図３（Ｃ）に示した合成比により両者を合成すればよい。合成変換後の変化を図３（Ｂ）に太線で示している。
【００４３】
得られた合成変換後の目標絶対色値情報では、予め設定されている再現開始設定値（色値Ｓ）で出力される色値βと紙白の色値αとの色差として色差ΔＥを確保しており、紙白との色の違いが視認される情報が得られていることになる。この合成変換後の目標絶対色値情報と、較正出力装置の装置絶対色値情報とから、色較正係数算出部３は較正するための係数を算出すればよい。
【００４４】
図４は、本発明の色較正係数算出装置の第１の実施の形態における第１の変形例を示す構成図である。図中、４は目標紙白補正部、５は装置紙白補正部である。前述したが、較正の際に目標出力装置における紙白と、較正出力装置の紙白が異なっている場合があり、このような場合、ハイライト部分の階調が急峻に変化し、あるいは階調が再現されないなどの不具合が生じることがある。この第１の変形例では、紙白補正の処理を行い、紙白の違いによる不具合を解消する例を示している。
【００４５】
目標紙白補正部４は、目標絶対色値情報変換部２で変換された目標絶対色値情報に対して紙白の補正を行い、目標紙白色値情報を得る。また、装置紙白補正部５は、装置絶対色値情報に対して紙白の補正を行い装置紙白色値情報を得る。いずれの紙白補正の方法についても公知の手法を用いればよく、相対変換技術や中高濃度絶対技術などを使用するとよい。
【００４６】
本発明の色較正係数算出装置の第１の実施の形態の第１の変形例における動作の一例について説明する。ここでは、具体例として紙白補正の方法に中高濃度絶対技術を用いるものとし、まず再現開始値を考慮しない場合について説明してから、再現開始値を考慮した場合について説明する。なお、目標絶対色値情報及び装置絶対色値情報の与える色値及び出力される色値の色空間は限定されないが、具体例として説明する場合には、与える色値の色空間はＣＭＹＫ色空間、出力される色値の色空間はＣＩＥＬＡＢ色空間であるとして説明する。
【００４７】
図５は、中高濃度絶対技術の一例と得られる較正係数の一例の説明図である。図５（Ａ）には、目標絶対色値情報、相対変換技術により紙白補正を施した目標絶対色値情報、中高濃度絶対技術により紙白補正を施した後の目標絶対色値情報の変化について、それぞれ白を原点とする与える色値の変化と、対応する出力される色値の変化を示している。目標絶対色値情報の変化を実線で示しているが、目標絶対色値情報では、白の色値を与えた場合に出力される色値は紙白を示す色値αである。この白の色値を与えた場合に出力される色値が、基準白色値、例えば（Ｌ，ａ，ｂ）が（１００，０，０）となるように紙白補正を行う。相対変換技術を用いて紙白補正を施した場合の変化を細線で示している。相対変換技術では、紙白の色値αを基準白色値へ変換した際の変化量に従って、相対的に他の色値についても補正される。ここで基準白色点として、Ｄ５０の三刺激値をＸD50 ＹD50 ＺD50 、α＝（Ｌw ，ａw ，ｂw ）を三刺激値に変換した値をＸw Ｙw Ｚw とし、与えられたＬａｂ値の三刺激値をＸi Ｙi Ｚi 、紙白補正後の三刺激値をＸrel Ｙrel Ｚrel とすると、その変換式は、
Ｘrel ＝（Ｘi ／Ｘw ）・ＸD50 
Ｙrel ＝（Ｙi ／Ｙw ）・ＹD50 
Ｚrel ＝（Ｚi ／Ｚw ）・ＺD50     （式１）
となる。与えられたＬａｂ値の三刺激値Ｘi Ｙi Ｚi が紙白の色値（α＝（Ｌw ，ａw ，ｂw ）の三刺激値Ｘw Ｙw Ｚw ）の場合に、紙白補正後の三刺激値はＸD50 ＹD50 ＺD50 となる。
【００４８】
中高濃度絶対技術では、もとの目標絶対色値情報による色変化と、相対変換技術を用いて紙白補正を施した後の目標絶対色値情報による色変化とを、与える色値が白から予め決められた範囲、ここでは白からＤｃｏｖの範囲で合成する技術である。合成は、与える色値が白では相対変換技術により紙白補正を施した後の目標絶対色値情報、Ｄｃｏｖではもとの目標絶対色値情報となるように変化させ、白からＤｃｏｖの範囲以外では目標絶対色値情報とする。
【００４９】
図６は、中高濃度絶対技術を用いる場合の合成比の一例の説明図である。与える色値が白からＤｃｏｖの範囲での合成としては、もとの目標絶対色値情報による色変化と相対変換技術を用いて紙白補正を施した後の目標絶対色値情報による色変化を合成する際の合成比を、例えば与える色値の色空間における白からの距離に応じて変更すればよい。図６に示した例では、与える色値が白（距離＝０）では目標絶対色値情報から得られる色値（絶対と表記）と相対変換技術を用いて紙白補正を施した後の目標絶対色値情報から得られる色値（相対と表記）との合成比を０：１００とし、距離がＤｃｏｖの色値では合成比を１００：０として、距離に応じた線形変換により合成比を設定している。この合成比に従って目標絶対色値情報から得られる出力される色値と相対変換技術を用いて紙白補正を施した後の目標絶対色値情報から得られる出力される色値を合成し、中高濃度絶対技術により紙白補正した出力される色値を求めればよい。例えば、距離がＤｃｏｖ／４では、２５：７５、Ｄｃｏｖ／２では、５０：５０の合成比で、それぞれの距離において目標絶対色値情報から得られる出力される色値と相対変換技術を用いて紙白補正を施した後の目標絶対色値情報から得られる出力される色値とを合成すればよい。
【００５０】
なお、この方法では距離がＤｃｏｖ以上の中高濃度領域については、目標絶対色値情報から得られる色値が採用されることから、紙白補正の影響を受けない。図６では、中高濃度絶対技術により紙白補正された後の目標絶対色値情報の変化を太線で示している。
【００５１】
図５（Ｂ）には、装置絶対色値情報、相対変換技術により紙白補正を施した装置絶対色値情報、中高濃度絶対技術により紙白補正を施した後の装置絶対色値情報の変化について、それぞれ白を原点とする与える色値の変化と、対応する出力される色値の変化を、実線、細線、太線で示している。相対変換技術による紙白補正、中高濃度絶対技術による紙白補正については、目標絶対色値情報に対する紙白補正で上述した方法をそのまま用いている。
【００５２】
装置絶対色値情報では、紙白は色値γであり、目標絶対色値情報における紙白の色値αとは異なる場合がある。紙白補正の処理は、この異なる紙白の色値を基準白色値に補正する処理である。細線で示した相対変換技術、太線で示した中高濃度絶対技術によって、白値を基準白色値に合わせている。
【００５３】
図５（Ａ）に太線で示した中高濃度絶対技術により紙白補正が施された目標絶対色値情報と、図５（Ｂ）に太線で示した中高濃度絶対技術により紙白補正が施された装置絶対色値情報を用い、求めた較正のための係数（較正のための関数）を図５（Ｃ）に示している。例えば色値ａが与えられた場合、目標出力装置において紙白補正後の出力される色値は図５（Ａ）に太線で示した目標紙白色値情報から色値ｂである。この色値ｂを較正出力装置で出力させるには、図５（Ｂ）に太線で示した紙白補正が施された装置絶対色値情報の曲線から、色値ｃを与えればよいことになる。すなわち、色値ａが与えられた場合に、色値ｃに補正して較正出力装置に与えれば、目標出力装置と同等の出力が得られることになる。このような与える色値と補正後の色値との対応関係、上述の具体例では色値ａと色値ｃの対応関係を示したものが図５（Ｃ）に示した関数である。このような関数を表す情報が較正のための係数である。
【００５４】
中高濃度絶対技術を用いて紙白補正を行って得た較正のための係数を用いて補正すれば、目標絶対色値情報を取得する際と装置絶対色値情報を取得する際とで下地となった紙の白色（色度）が異なっていても、ハイライト部分では白色の違いを除去した較正が行われることになる。また、ハイライト部分以外では実測値に応じた較正が行われることになる。
【００５５】
図７は、本発明の色較正係数算出装置の第１の実施の形態の第１の変形例において再現開始値を考慮した場合の中高濃度絶対技術による紙白補正の一例の説明図である。図７（Ａ）では、図２（Ａ）に示した目標絶対色値情報変換部２で変換された目標絶対色値情報の変化を実線で示し、その変換された目標絶対色値情報を相対変換技術により紙白補正した目標絶対色値情報の変化を細線で示し、これらから中高濃度絶対技術により紙白補正した目標絶対色値情報（目標紙白色値情報）を太線でそれぞれ示している。
【００５６】
目標紙白補正部４では、目標絶対色値情報変換部２で変換された目標絶対色値情報を相対変換技術により紙白補正した目標絶対色値情報を得て、図７（Ａ）に実線で示した目標絶対色値情報変換部２で変換された目標絶対色値情報と、細線で示した相対変換技術により紙白補正した目標絶対色値情報とを、例えば図６に示した合成比に従って合成すれば、太線で示した中高濃度絶対技術により紙白補正した目標絶対色値情報が得られる。得られた中高濃度絶対技術により紙白補正した目標絶対色値情報を目標紙白色値情報とする。
【００５７】
一方、装置紙白補正部５では与えられた装置絶対色値情報に対して上述した方法により中高濃度絶対技術を用いて紙白補正を行い、装置紙白色値情報を得ればよい。図７（Ｂ）は図５（Ｂ）に示したものであり、装置絶対色値情報の変化を実線で、相対変換技術により紙白補正した装置絶対色値情報の変化を細線で、中高濃度絶対技術により紙白補正した装置絶対色値情報（装置紙白色値情報）を太線で、それぞれ示している。
【００５８】
色補正係数算出部３では、図７（Ａ）において太線で示した目標紙白補正部４で得た目標紙白色値情報と、図７（Ｂ）において太線で示した装置紙白補正部５で得た装置紙白色値情報とから、較正のための係数（較正のための関数）を求める。一例としては、図５を用いて説明した突き当ての方法を用いればよい。例えば目標紙白色値情報から、目標出力装置に与える色値に対応する紙白補正後の出力される色値を得て、その色値を出力するために較正出力装置に与える色値を装置紙白色値情報から得る。これにより、目標出力装置に与える色値と較正出力装置に与える色値との対応関係が分かるので、この対応関係を示す情報を較正のための係数とすればよい。例えば、この例では図７（Ｃ）に示す関係の係数が得られる。
【００５９】
図８は、本発明の色較正係数算出装置の第１の実施の形態における第２の変形例を示す構成図である。図中、６は装置再現開始値情報取得部である。この第２の変形例では、上述の第１の変形例の較正に、装置再現開始値情報取得部６を設け、較正対象の出力装置における再現開始値についても考慮した例を示している。
【００６０】
装置再現開始値情報取得部６は、装置絶対色値情報をもとに、較正出力装置で与える色値を紙白から変化させて色再現が視認される値を装置再現開始値として取得するとともに、目標紙白補正部４で得た目標紙白色値情報から再現開始設定値での補正値を取得する。
【００６１】
装置色値紙白補正部３では、基本的には装置絶対色値情報に対して紙白の補正を行い、装置紙白色値情報を得るものであるが、装置再現開始値での補正後の値が再現開始設定値での補正値となるように、装置絶対色値情報に対して紙白の補正を行い、装置紙白色値情報を得る。
【００６２】
以下、本発明の色較正係数算出装置の第１の実施の形態の第２の変形例における動作の一例について説明する。ここでは、具体例として紙白補正の方法に中高濃度絶対技術を用いるものとして説明する。図９は、目標紙白色値情報及び装置絶対色値情報の一例と再現開始値との関係の一例の説明図である。図９（Ａ）は図７（Ａ）に太線で示した目標紙白色値情報と実線で示した目標絶対色値情報の変化の一例である。また、図９（Ｂ）には図７（Ｂ）に示した各曲線を示している。
【００６３】
上述の説明では目標出力装置における再現開始値を考慮した例を示しているが、較正出力装置でも再現開始値が存在し、目標出力装置における再現開始値とは異なる場合がある。目標出力装置において紙白から再現開始値までの色差ΔＥを較正出力装置で得る場合に、較正出力装置に与える色値を色値Ｕ、色値Ｕを与えて出力される色値を色値δとする。この色値Ｕを装置再現開始値とする。
【００６４】
ここで、目標出力装置において与えられた再現開始設定値である色値Ｓで出力される色値εを較正出力装置において得るために較正出力装置に与える色値を、中高濃度絶対技術により紙白補正した装置絶対色値情報から求めると、色値Ｕよりも紙白に近い色値Ｖであったとする。しかし、紙白から装置再現開始値である色値Ｕまでは色の変化が視認されないことから、色値Ｖを与えて出力される色は、紙白との違いが視認されないことになる。このような再現開始値の違いによる不具合を解消するように、この第２の変形例では装置再現開始値情報取得部６を設け、この装置再現開始値情報取得部６で取得した情報を用いた紙白補正を装置紙白補正部５において行っている。以下、その処理の一例について説明する。
【００６５】
図１０は、装置再現開始値を考慮した紙白補正処理の一例の説明図である。図１０（Ａ）は図７（Ａ）、図９（Ａ）に示したものであり、目標絶対色値情報の変化を実線で、目標紙白色値情報の変化を太線で、それぞれ示している。また、図１０（Ｂ）において実線で示した装置絶対色値情報の変化と、破線で示した中高濃度絶対技術により紙白補正を施した装置絶対色値情報の変化については、図２（Ｂ）、図９（Ｂ）においてそれぞれ実線及び太線で示したものである。
【００６６】
較正出力装置側において装置再現開始値を考慮した較正を行う場合、基本的には、目標出力装置で再現開始設定値を与えて出力される色値が、較正出力装置における再現開始値で再現されるように較正すればよい。例えば図１０においては目標出力装置における再現開始設定値である色値Ｓで出力される色値εが、較正出力装置で装置再現開始値である色値Ｕを与えて出力される色値となればよい。
【００６７】
この処理のために、装置再現開始値情報取得部６は、目標出力装置における再現開始設定値である色値Ｓを与えた場合に出力される色値εを取得するとともに、較正出力装置における装置再現開始値である色値Ｕを取得する。色値εは、目標紙白色値情報を用いて再現開始設定値である色値Ｓから求めればよい。
【００６８】
装置色値紙白補正部５では、装置再現開始値Ｕでの紙白補正後の色値が色値εとなるように、装置絶対色値情報に対して紙白補正を行い、装置紙白色値情報を得る。得られた装置紙白色値情報の変化を、図１０（Ｂ）において太線で示している。
【００６９】
上述のように、中高濃度絶対技術ではハイライト部分において紙白補正前の色値情報、その色値情報に対して相対変換技術を用いて紙白補正を施した色値情報とを、例えば図６に示した合成比に応じて合成したものであった。ここでも、装置再現開始値Ｕで色値εが得られるように合成比を設定すれば、装置紙白色値情報が得られる。
【００７０】
図１１は、装置紙白色値情報を求める際の合成比の一例の説明図である。図１１に示した例では、紙白値（距離＝０）では装置絶対色値情報から得られる色値（絶対と表記）と、相対変換技術を用いて補正した装置絶対色値情報から得られる色値（相対と表記）との合成比を０：１００とし、距離がＤｃｏｖの色値では合成比を１００：０とするとともに、距離がＵの場合に色値εが得られる合成比としてｐ：ｑを設定している。そして、距離が０以上Ｕ以下の範囲で線形変換により合成比を設定し、また距離がＵ以上Ｄｃｏｖ以下の範囲でも、その範囲における線形変換により合成比を設定している。この合成比に従って装置絶対色値情報から得られる値と、相対変換技術を用いて補正した装置絶対色値情報から得られる値を合成し、装置絶対色値情報を紙白補正した装置紙白色値情報を求めればよい。
【００７１】
図１０（Ａ）に太線で示した目標紙白色値情報と、図１０（Ｂ）に太線で示した装置紙白色値情報を用い、求めた較正のための係数（較正のための関数）を図１０（Ｃ）に示している。例えば色値Ｓが与えられた場合、目標出力装置において紙白補正後の色値は図１０（Ａ）に太線で示した目標紙白色値情報から色値εである。この色値εを較正出力装置で出力させるには、図１０（Ｂ）に太線で示した装置紙白色値情報の曲線から、色値Ｕを与えればよいことになる。すなわち、色値Ｓが与えられた場合に、色値Ｕに補正して較正出力装置に与えれば、目標出力装置での出力である色値εが得られることになる。この場合、目標出力装置では再現開始設定値である色値Ｓで紙白から色の変化が視認されるが、較正出力装置においても、補正された色値Ｕが装置再現開始値であることから、紙白からの色の変化が視認されることになる。図１０（Ｃ）に示す、与えた色信号と補正後の色信号との対応関係を示す情報を、較正のための係数として色較正係数算出部３で得ればよい。例えば、関数を表す係数や、対応表などの形態で較正のための係数を算出するなど、従来から較正のために得ている情報を算出すればよい。
【００７２】
上述の第１の変形例及び第２の変形例の説明では、基本的な紙白補正方法として中高濃度絶対技術を用いる場合について説明した。これに限らず、紙白補正方法として例えば相対変換技術を基本として用いてもよい。その場合、第２の変形例では較正出力装置における装置再現開始値での補正後の値を、目標出力装置における再現開始設定値における補正後の値となるようにし、その前後での変換比率を変更すればよい。もちろん、そのほかの紙白補正技術についても、このような再現開始点における補正値を合わせるように補正すればよい。
【００７３】
図１２は、本発明の色較正係数算出装置の第２の実施の形態を示す構成図である。図中、１１は目標紙白補正部、１２は目標再現開始値情報取得部、１３は目標紙白色値情報変換部、１４は装置紙白補正部、１５は色較正係数算出部である。上述の第１の実施の形態では、予め設定されている再現開始設定値での色再現を行うための補正を、目標絶対色値情報に対して行ったが、この第２の実施の形態では、紙白補正後の目標絶対色値情報である目標紙白色値情報に対して行う例を示している。なお、与えられる目標絶対色値情報及び装置絶対色値情報は第１の実施の形態で説明した通りである。
【００７４】
目標紙白補正部１１は、目標絶対色値情報に対して紙白の補正を行い、目標紙白色値情報を得る。紙白補正の方法としては、相対変換技術や中高濃度絶対技術など、種々の技術から選択して用いればよい。
【００７５】
目標再現開始値情報取得部１２は、目標絶対色値情報をもとに、目標出力装置で与える色値を紙白から変化させて色再現が視認される値である再現開始値を求めて目標再現開始値とするとともに、その目標再現開始値に対応して出力される紙白補正後の色値を、目標紙白補正部１１で得た目標紙白色値情報から取得する。
【００７６】
目標紙白色値情報変換部１３は、予め定められた目標出力装置の再現開始設定値に対応する色値が、目標再現開始値情報取得部１２で取得した目標再現開始値に対応する色値となるように、目標紙白補正部１１で得た目標紙白色値情報を変換する。
【００７７】
装置紙白補正部１４は、装置絶対色値情報に対して紙白の補正を行い装置紙白色値情報を得る。紙白補正の方法は目標紙白補正部１１で用いる方法とすればよく、相対変換技術や中高濃度絶対技術などを使用するとよい。
【００７８】
色較正係数算出部１５は、目標紙白色値情報変換部１３で変換した目標紙白色値情報と装置紙白補正部１４で得た装置紙白色値情報から、較正出力装置に与える色値を較正するための係数を算出する。係数の算出方法は、従来から行われている方法を使用すればよく、一例としては変換した目標紙白色値情報と装置紙白色値情報との突き当てによって行えばよい。
【００７９】
図１３は、本発明の色較正係数算出装置の第２の実施の形態における動作の一例の説明図である。ここでは具体例として、中高濃度絶対技術を用いて紙白補正を行うものとして説明する。
【００８０】
図１３（Ａ）において、目標絶対色値情報の変化を実線で示し、相対変換技術を用いて紙白補正した目標絶対色値情報の変化を細線で示し、中高濃度絶対技術を用いて紙白補正した目標絶対色値情報の変化を破線で示している。中高濃度絶対技術による紙白補正については、図５、図６を用いて上述したとおりであり、紙白から予め決められた色値Ｄｃｏｖの範囲で、目標絶対色値情報と、相対変換技術を用いて紙白補正を施した後の目標絶対色値情報とを、予め決められた合成比率、例えば図６に示した合成比などにより合成する。目標紙白補正部１１では、このような目標絶対色値情報に対する紙白の補正を行い、目標紙白色値情報を得る。
【００８１】
目標再現開始値情報取得部１２は、まず、目標絶対色値情報をもとに目標再現開始値を求める。この例では色値Ｒが得られたものとしている。さらに、その目標再現開始値である色値Ｒに対応して出力される紙白補正後の色値を、目標紙白補正部１１で得た目標紙白色値情報から取得する。この例では、破線で示した目標紙白色値情報から色値Ｒに対応する色値ζが取得されたものとしている。
【００８２】
目標紙白色値情報変換部１３では、予め定められた目標出力装置の再現開始設定値に対応する色値が、目標再現開始値情報取得部１２で取得した目標再現開始値に対応する色値となるように、目標紙白補正部１１で得た目標紙白色値情報を変換する。ここでは再現開始設定値を色値Ｓとし、色値Ｓに対応する色値が、目標再現開始値である色値Ｒに対応する紙白補正後の色値ζとなるように、目標紙白色値情報を変換することになる。図１３（Ａ）に示した例では、目標紙白色値情報から得られる色値Ｓに対応する色値ηを色値ζに変換することになる。また、紙白から色値Ｓの範囲では、紙白へ向けて徐々に変換量を減少させ、また色値Ｓから色値Ｄｃｏｖの範囲では色値Ｄｃｏｖへ向けて変換量を減少させている。得られた変換後の目標紙白色値情報の変化を、図１３（Ａ）において太線で示している。
【００８３】
このような変換を行えば、目標再現開始値である色値Ｒでの紙白補正後の色差、すなわち基準紙白値と色値ζとの色差が、再現開始設定値である色値Ｓで得られている。基準紙白値と色値ζとの色差は、目標絶対色値情報での再現開始色差ΔＥを紙白補正した場合の色差である。この色差が色値Ｓで得られていることから、色値Ｓにおいて、紙白との色の違いが視認される色値情報が得られたことになる。
【００８４】
一方、装置紙白補正部１４では、装置絶対色値情報に対して紙白の補正を行い装置紙白色値情報を得る。装置絶対色値情報に対しても中高濃度絶対技術を用いて紙白補正を行うものとする。図１３（Ｂ）では装置絶対色値情報の変化を実線で示し、相対変換技術を用いて紙白補正した装置絶対色値情報の変化を細線で示し、中高濃度絶対技術を用いて紙白補正した装置絶対色値情報（装置紙白色値情報）の変化を太線で示している。
【００８５】
色較正係数算出部１５は、目標紙白色値情報変換部１３で変換した目標紙白色値情報と装置紙白補正部１４で得た装置紙白色値情報から、較正出力装置に与える色値を較正するための係数を算出する。この例では、図１３（Ａ）に太線で示した変換後の目標紙白色値情報と、図１３（Ｂ）に太線で示した装置紙白色値情報との突き当てにより、例えば図１３（Ｃ）に示す関数を較正のための係数として得ればよい。
【００８６】
例えば色値Ｓについては、目標出力装置に色値Ｓを与えた場合に出力される紙白補正後の色値として、図１３（Ａ）に太線で示した変換後の目標紙白色値情報から色値ζが得られる。この色値ζが較正出力装置から出力されるために、較正出力装置に与える色値を図１３（Ｂ）に太線で示した装置紙白色値情報から得ると、色値Ｖが得られることになる。この色値Ｓと色Ｖの関係を、他の色値についても取得すると、目標出力装置に与える色値と較正出力装置に与える色値との対応関係が分かるので、この対応関係を示す情報を較正のための係数とすればよい。この対応関係を図１３（Ｃ）に示している。
【００８７】
ここでは紙白補正の方法として中高濃度絶対技術を用いるものとして説明したが、例えば相対変換技術など、他の紙白補正技術を用いてもよいことは言うまでもない。
【００８８】
図１４は、本発明の色較正係数算出装置の第２の実施の形態における変形例を示す構成図である。図中、１６は装置再現開始値情報取得部である。この変形例は、上述の第１の実施の形態における第２の変形例で説明した、較正対象の出力装置における再現開始値についても考慮した例である。
【００８９】
装置再現開始値情報取得部１６は、装置絶対色値情報をもとに、較正出力装置で与える色値を紙白から変化させて色再現が視認される値を装置再現開始値として取得するとともに、目標紙白補正部１１で得た目標紙白色値情報から再現開始設定値での補正値を取得する。
【００９０】
装置紙白補正部１４では、基本的には装置絶対色値情報に対して紙白の補正を行い、装置紙白色値情報を得るものであるが、装置再現開始値での補正後の値が再現開始設定値での補正値となるように、装置絶対色値情報に対して紙白の補正を行い、装置紙白色値情報を得る。
【００９１】
図１５は、本発明の色較正係数算出装置の第２の実施の形態の変形例における動作の一例の説明図である。ここでは、具体例として紙白補正の方法に中高濃度絶対技術を用いるものとして説明する。図１５（Ａ）は図１３（Ａ）に示したものであり、目標絶対色値情報の変化を実線で、変換後の目標紙白色値情報の変化を太線で、それぞれ示している。また、図１５（Ｂ）において実線で示した装置絶対色値情報の変化と、破線で示した中高濃度絶対技術により紙白補正を施した装置絶対色値情報の変化については、図１３（Ｂ）においてそれぞれ実線及び太線で示したものである。
【００９２】
図１５（Ｂ）において、目標出力装置において紙白から再現開始値までの色差ΔＥを較正出力装置で得る場合に、較正出力装置に与える色値（装置再現開始値）を色値Ｕ、色値Ｕを与えて出力される色値を色値δとして示している。
【００９３】
本発明の第１の実施の形態の第２の変形例でも説明したが、較正出力装置側において装置再現開始値を考慮した較正を行う場合、基本的には、目標出力装置で再現開始設定値を与えて出力される色値が、較正出力装置における再現開始値で再現されるように較正すればよい。例えば図１５においては目標出力装置における再現開始設定値である色値Ｓに対応する補正された色値ζが、較正出力装置で装置再現開始値である色値Ｕを与えて出力される色値となればよい。
【００９４】
この処理のために、装置再現開始値情報取得部１６は、目標出力装置における再現開始設定値である色値Ｓに対応する補正された色値ζを取得するとともに、較正出力装置における装置再現開始値である色値Ｕを取得する。色値ζは、目標紙白色値情報を用いて再現開始設定値である色値Ｓから求めればよい。あるいは、目標相対紙白色値情報変換部１３で変換された目標紙白色値情報を用いて、色値Ｓに対応する色値ζを求めてもよい。
【００９５】
装置紙白補正部１４では、装置再現開始値である色値Ｕでの紙白補正後の色値が色値ζとなるように、装置絶対色値情報に対して紙白補正を行い、装置紙白色値情報を得る。得られた装置紙白色値情報の変化を、図１５（Ｂ）において太線で示している。装置紙白色値情報を得る際には、例えば図１１に示した合成比により、図１５（Ｂ）に実線で示した装置絶対色値情報と、細線で示した相対変換技術で紙白補正した装置絶対色値情報を合成すればよい。
【００９６】
図１５（Ａ）に太線で示した変換後の目標紙白色値情報と、図１５（Ｂ）に太線で示した装置紙白色値情報を用い、求めた較正のための係数（較正のための関数）を図１５（Ｃ）に示している。例えば色値Ｓが与えられた場合、目標出力装置において紙白補正後の色値は図１５（Ａ）に太線で示した変換後の目標紙白色値情報から色値ζである。この色値ζを較正出力装置で出力させるには、図１５（Ｂ）に太線で示した装置紙白色値情報の曲線から、色値Ｕを与えればよいことになる。すなわち、色値Ｓが与えられた場合に、色値Ｕに補正して較正出力装置に与えれば、目標出力装置での出力である色値ζが得られることになる。この場合、目標出力装置では再現開始設定値である色値Ｓで紙白から色の変化が視認されるが、較正出力装置においても、補正された色値Ｕが装置再現開始値であることから、紙白からの色の変化が視認されることになる。図１５（Ｃ）に示す、与えた色信号と補正後の色信号との対応関係を示す情報を、較正のための係数として色較正係数算出部１５で得ればよい。例えば、関数を表す係数や、対応表などの形態で較正のための係数を算出するなど、従来から較正のために得ている情報を算出すればよい。
【００９７】
この第２の実施の形態の変形例の説明では、基本的な紙白補正方法として中高濃度絶対技術を用いる場合について説明した。これに限らず、紙白補正方法として例えば相対変換技術など、他の紙白補正技術を用いてもよいことは言うまでもない。
【００９８】
図１６は、本発明の色変換装置の実施の一形態を示す構成図である。図中、２１は色変換部、２２は補正部である。色変換部２１は、出力装置に与えた色信号と出力された色とを対にした色値情報の集合を基本情報として、その基本情報をもとに作成された色変換モデルを用いて色変換を行う。色値情報は、例えば出力装置に対して色信号を与え、出力装置から出力される色を測色することにより、与えた色信号と測色値との対が得られる。この対を色値情報とすればよい。色信号についてはＣＭＹやＣＭＹＫ、ＲＧＢなどの出力装置に依存した色空間における種々の色信号でよく、測色値は、装置に依存しない色空間における色値であり、ここでは一例としてＣＩＥＬＡＢ色空間における色値とするが、これに限られるものではない。色値情報から、出力装置に依存した色空間の色信号から、装置に依存しない色空間の色値への対応関係が得られる。色変換モデルでは、色値情報の関係を逆に用い、装置に依存しない色空間の色値から出力装置に依存した色空間の色信号を得るモデルを作成しておく。なお、上述の本発明の色較正係数算出装置の第１，第２の実施の形態で使用した目標絶対色値情報を基本情報として用いてもよい。基本情報から色変換モデルを作成する方法については、従来より種々の方法が提案されており、いずれの方法を用いてもよい。一例としては、特開平１０−２６２１５７号公報に記載されている重み付け回帰演算による方法を用いるとよい。
【００９９】
補正部２２は、実際に色を出力させる出力装置を較正出力装置として、本発明の色較正係数算出装置の第１、第２の実施の形態で説明した方法により算出された較正のための係数を用いて、色変換部２１による色変換結果を補正する。
【０１００】
上述の較正においては、装置非依存色空間の色値が色変換部２１に与えられて出力装置に依存した色空間の色信号に変換される。その色信号は補正部２２により補正され、出力装置へ渡されて色が出力されることになる。補正部２２では、本発明の色較正係数算出装置の第１，第２の実施の形態で説明したように、目標出力装置の出力特性に補正されているとともに、再現開始設定値での色再現についても補正されており、目標出力装置において再現開始設定値で色再現されるように較正された色出力が得られる。
【０１０１】
このように、補正部２２では目標出力装置の出力特性及び再現開始設定値での色再現についても補正しているが、色変換部２１で色変換を行う際の変換誤差によっては、補正部２２で意図した補正が行われない場合がある。そのため、色変換部２１において用いる色変換モデルは、補正部２２による補正の意図が反映されるように、ハイライト部分では通常よりも変換誤差が少なくなるように作成しておくとよい。
【０１０２】
図１７は、色変換モデルの一例における基本情報と変換結果の一例の説明図である。色変換モデルを求める方法の一例として、例えば重み付け回帰演算による方法を用いることとし、基本情報の色値情報を丸印で、使用する重み関数を実線で、得られた色変換モデルによる変換結果の一例を太線で、それぞれ示している。
【０１０３】
図１７（Ａ）及び（Ｂ）には一律に重み関数を用いた場合の色値情報と変換結果の一例を示しており、図１７（Ａ）において円で囲んだハイライト部分について、図１７（Ｂ）に示している。重み付け回帰演算による方法では、各色値情報に対して重み付けを行うことにより、測色値のばらつきを抑えている。そのため、図１７（Ｂ）に示すように、色変換モデルを用いた変換結果の変化は、与えられた色値情報が正しくても、その色値情報を通るわけではなく、誤差が生じる。
【０１０４】
上述の再現開始値での色再現まで補正する場合、少なくともハイライト部分についての色変換誤差を図１７（Ａ）、（Ｂ）に示した場合に比べて低減するとよい。そのための方法の一例としては、ハイライト部分に色値情報を追加して色変換モデルを作成すればよい。図１７（Ｃ）には色値情報を追加した場合を示しており、重み付け回帰演算の際に、追加した色値情報の影響も反映されることになる。そのため、色変換モデルによる変換結果は、色値情報を追加しない場合に比べて各色値情報に対する追従性が向上して誤差も低減する。
【０１０５】
また別の方法として、少なくともハイライト部分について、各色値情報に追従させるように重み関数を変更することが考えられる。例えば重み関数の半値幅をハイライト部分以外よりも狭くすることにより、重み関数を変更しない場合に比べて他の色値情報の影響が減少し、色変換モデルによる変換結果はハイライト部分の色値情報に追従するようになる。この場合の一例を図１７（Ｄ）に示している。
【０１０６】
重み関数を変更した場合、測色値の誤差に影響されてしまう場合や、色値情報が他の色領域よりも少ない領域では色変換モデルによる変換結果が図１７（Ｅ）に示すようにガタついてしまう場合がある。このような場合には、上述した色値情報を追加する方法を併用するとよい。これにより、図１７（Ｆ）に示すガタつきのない色変換モデルの変換結果が得られる。
【０１０７】
このように、色変換モデルを作成する際に基本情報に対する色値情報の追加や重み関数の変更などを少なくともハイライト部分で行っておけば、そのようなことを行わない場合に比べてハイライト部分での変換誤差が減少する。従って、補正部２２によって、目標出力装置の出力特性への補正とともに、再現開始設定値での色再現の補正についても反映され、目標出力装置において再現開始設定値で色再現されるように較正された色出力が得られることになる。
【０１０８】
ここでは重み付け回帰演算による方法を用いて色変換モデルを作成した場合について説明したが、このほかの方法を用いて色変換モデルを作成する場合についても、ハイライト部分について色値情報を追加し、あるいは色値情報への追従性を改善して、他の部分よりも色変換精度を上げておくとよい。また、図１６に示した構成では色変換部２１と補正部２２とを別に示しているが、補正部２２による補正をも含む色変換モデルを作成しておき、色変換を行ってもよいことは言うまでもない。
【０１０９】
図１８は、本発明の色較正係数算出装置の各実施の形態及び色変換装置の実施の一形態で説明した機能をコンピュータプログラムで実現した場合におけるコンピュータプログラム及びそのコンピュータプログラムを格納した記憶媒体とコンピュータの一例の説明図である。図中、３１はプログラム、３２はコンピュータ、４１は光磁気ディスク、４２は光ディスク、４３は磁気ディスク、４４はメモリ、５１はＣＰＵ、５２は内部メモリ、５３は読取部、５４はハードディスク、５５はインタフェース、５６は通信部である。
【０１１０】
上述の本発明の色較正係数算出装置の各実施の形態及び色変換装置の実施の一形態として説明した各部の機能の全部または部分的に、コンピュータが実行するプログラム３１によって実現してもよい。その場合、そのプログラム３１およびそのプログラムが用いるデータなどは、コンピュータによって読み取られる記憶媒体に記憶させておけばよい。記憶媒体とは、コンピュータのハードウェア資源に備えられている読取部５３に対して、プログラムの記述内容に応じて、磁気、光、電気等のエネルギーの変化状態を引き起こして、それに対応する信号の形式で、読取部５３にプログラムの記述内容を伝達するものである。例えば、光磁気ディスク４１，光ディスク４２（ＣＤやＤＶＤなどを含む）、磁気ディスク４３，メモリ４４（ＩＣカード、メモリカード、フラッシュメモリなどを含む）等である。もちろんこれらの記憶媒体は、可搬型に限られるものではない。
【０１１１】
これらの記憶媒体にプログラム３１を格納しておき、例えばコンピュータ３２の読取部５３あるいはインタフェース５５にこれらの記憶媒体を装着して、コンピュータからプログラム３１を読み出し、内部メモリ５２またはハードディスク５４（磁気ディスクやシリコンディスクなどを含む）に記憶し、ＣＰＵ５１によってプログラム３１を実行し、上述の本発明の色較正係数算出装置の各実施の形態及び色変換装置の実施の一形態として説明した機能が全部又は部分的に実現される。あるいは、通信路を介してプログラム３１をコンピュータ３２に転送し、コンピュータ３２では通信部５６でプログラム３１を受信して内部メモリ５２またはハードディスク５４に記憶し、ＣＰＵ５１によってプログラム３１を実行して実現してもよい。
【０１１２】
コンピュータ３２には、このほかインタフェース５５を介して様々な装置が接続されていてもよい。例えば出力装置がインタフェース５５を介して接続され、色変換し、補正を施した色信号に基づいて出力装置で色再現するように構成してもよい。また、例えば情報を受け付ける受付手段等も接続されていてもよい。なお、各構成が１台のコンピュータにおいて動作する必要はなく、処理段階に応じて別のコンピュータにより処理が実行されてもよい。もちろん、本発明の色較正係数算出装置の各実施の形態として説明した機能と、本発明の色変換装置の実施の一形態として説明した機能とが別のコンピュータにより処理が実行されてよいことは言うまでもない。
【符号の説明】
【０１１３】
１…目標再現開始値情報取得部、２…目標絶対色値情報変換部、３…色較正係数算出部、４…目標紙白補正部、５…装置紙白補正部、６…装置再現開始値情報取得部、１１…目標紙白補正部、１２…目標再現開始値情報取得部、１３…目標紙白色値情報変換部、１４…装置紙白補正部、１５…色較正係数算出部、１６…装置再現開始値情報取得部、２１…色変換部、２２…補正部、３１…プログラム、３２…コンピュータ、４１…光磁気ディスク、４２…光ディスク、４３…磁気ディスク、４４…メモリ、５１…ＣＰＵ、５２…内部メモリ、５３…読取部、５４…ハードディスク、５５…インタフェース、５６…通信部。
【図１】
0005900738.tif 000002
【図２】
0005900738.tif 000003
【図３】
0005900738.tif 000004
【図４】
0005900738.tif 000005
【図５】
0005900738.tif 000006
【図６】
0005900738.tif 000007
【図７】
0005900738.tif 000008
【図８】
0005900738.tif 000009
【図９】
0005900738.tif 000010
【図１０】
0005900738.tif 000011
【図１１】
0005900738.tif 000012
【図１２】
0005900738.tif 000013
【図１３】
0005900738.tif 000014
【図１４】
0005900738.tif 000015
【図１５】
0005900738.tif 000016
【図１６】
0005900738.tif 000017
【図１７】
0005900738.tif 000018
【図１８】
0005900738.tif 000019